(57)【要約】  装用者の脳や身体に対して与える影響を調整するための眼鏡であって、フレームと、前記フレームに左右方向に並べて配置され、それぞれに入射する入射光を、同じ方向に向けて屈折させることにより、前記眼鏡を前記装用者が装用していない場合に対して前記装用者の眼に入力する視覚情報を変更する左右一対のプリズムレンズと、を備え、前記左右一対のプリズムレンズは、共に、その一端から他端に向けて一様に傾斜するように構成した眼鏡。
2020175591.tif 000002
【特許請求の範囲】
【請求項１】
装用者の脳や身体に対して与える影響を調整するための眼鏡であって、  フレームと、  前記フレームに左右方向に並べて配置され、それぞれに入射する入射光を、同じ方向に向けて屈折させることにより、前記眼鏡を前記装用者が装用していない場合に対して前記装用者の眼に入力する視覚情報を変更する左右一対のプリズムレンズと、を備え、  前記左右一対のプリズムレンズは、共に、その一端から他端に向けて一様に傾斜するように構成した眼鏡。
【請求項２】
前記プリズムレンズの屈折角は、０．５°〜２０°であることを特徴とする請求項１に記載の眼鏡。
【請求項３】
前記プリズムレンズは、有色透明であることを特徴とする請求項１又は２に記載の眼鏡。
【請求項４】
前記プリズムレンズは、前記装用者に対して与えたい影響に応じて定められた色で着色されていることを特徴とする請求項３に記載の眼鏡。
【請求項５】
前記左右一対のプリズムレンズにおける屈折角は、共に同一であることを特徴とする請求項１〜４のいずれか１項に記載の眼鏡。
【請求項６】
前記左右一対のプリズムレンズは、共に下方から上方に向けて厚みが厚くなることを特徴とする請求項１〜５のいずれか１項に記載の眼鏡。
【請求項７】
前記左右一対のプリズムレンズは、共に上方から下方に向けて厚みが厚くなることを特徴とする請求項１〜５のいずれか１項に記載の眼鏡。
【請求項８】
前記左右一対のプリズムレンズは、共に、装用者が使用する際に、装用者から見て右側から左側に向けて厚みが厚くなることを特徴とする請求項１〜５のいずれか１項に記載の眼鏡。
【請求項９】
前記左右一対のプリズムレンズは、共に、装用者が使用する際に、装用者から見ての左側から右側に向けて厚みが厚くなることを特徴とする請求項１〜５のいずれか１項に記載の眼鏡。
【請求項１０】
前記眼鏡は、  前記プリズムレンズを保持するフレームを備え、  前記フレームは、前記プリズムレンズを前記フレームに対して回動可能に保持する回動機構を備える  ことを特徴とする請求項１に記載の眼鏡。
【請求項１１】
前記回動機構は、前記プリズムレンズを、前記フレームのフロント部の枠に沿って回動させる  ことを特徴とする請求項１０に記載の眼鏡。
【請求項１２】
前記回動機構は、回転ベゼルであることを特徴とする請求項１１に記載の眼鏡。
【請求項１３】
前記回動機構は、前記プリズムレンズを、前記フレームのフロント部平面に対して平行な軸で前記プリズムレンズを回動させる  ことを特徴とする請求項１０に記載の眼鏡。
【請求項１４】
前記プリズムレンズを保持するフレームを備え、  前記フレームは、前記眼鏡の天地方向のいずれの側でも使用可能なノーズパッドとを備えることを特徴とする請求項１に記載の眼鏡。
【請求項１５】
前記ノーズパッドは、前記フレームのブリッジに対して回転可能に構成されている  ことを特徴とする請求項１４に記載の眼鏡。
【請求項１６】
前記ノーズパッドは、前記フレームの天地方向の双方向に対して対になるように設けられている  ことを特徴とする請求項１４に記載の眼鏡。
【請求項１７】
前記フレームのモダンは、直線状に形成されている  ことを特徴とする請求項１４〜１６のいずれか一項に記載の眼鏡。
【請求項１８】
前記フレームのモダンは、前記フレームのテンプルに対して湾曲するように構成されるとともに、前記フレームのテンプルに対して回転可能に構成されている  ことを特徴とする請求項１４〜１６のいずれか一項に記載の眼鏡。
【請求項１９】
前記フレームのモダンの先端は、前記天地方向に延伸するように構成されている  ことを特徴とする請求項１４〜１６のいずれか一項に記載の眼鏡。
【請求項２０】
フレームと、  前記フレームに左右方向に並べて配置され、それぞれに入射する入射光を、同じ方向に向けて屈折させる一対のプリズムレンズと、を備えているプリズム眼鏡におけるレンズの選定方法であって、  被験者に、歩行時における立脚中期の姿勢を維持させた状態で、眼球のみを上下左右に動作させ、眼球を動かしにくい方向である眼球の不動方向を特定する眼球の不動方向特定ステップと、  前記眼球の不動方向特定ステップにおいて特定された眼球の不動方向に向けて、眼球の動きを促進するプリズムレンズを選択するレンズ選択ステップと、を実行するプリズム眼鏡におけるレンズの選定方法。
【請求項２１】
請求項２０に記載のレンズの選定方法を用いて選定されたプリズムレンズを備えるプリズム眼鏡。
【発明の詳細な説明】
【技術分野】
【０００１】  本発明は、プリズム眼鏡、およびプリズム眼鏡におけるレンズの選定方法に関する。
【背景技術】
【０００２】  従来、入射した光を屈折させるプリズムレンズの性質を利用したプリズム眼鏡が知られている。  このようなプリズム眼鏡として、下記特許文献１には、斜位や眼筋の筋力低下、又は筋力不足などに起因する眼精疲労を低減するために、プリズムレンズを用いて、左右両方の視線が、左右方向の内側に寄るように、入射光を屈折させる構成が開示されている。
【先行技術文献】
【特許文献】
【０００３】
【特許文献１】特開２０１７−１１６８９２号公報
【発明の概要】
【発明が解決しようとする課題】
【０００４】  ここで、従来のプリズム眼鏡は、あくまで装用者が対象物を視認する際の見えやすさ（視認性）について作用するものであり、視覚を通して受け取る視覚情報が、装用者の脳や体、メンタルに対して与える影響にまで作用するものではなかった。【０００５】  そこで本発明は、視覚を通して受け取る視覚情報が、装用者の脳や体、メンタルに対して与える影響を調整することができる視覚情報変更装置を提供することを目的とする。
【課題を解決するための手段】
【０００６】  上記課題を解決するために、本発明に係る視覚情報変更装置は、装用者の眼を覆うように装用されるとともに、外界からの光の向きを変更して、装用者の眼に入力する。【０００７】  また、視覚情報変更装置は、プリズム構造体により構成されてもよい。【０００８】  また、視覚情報変更装置は、外界からの光を用いて撮像する撮像部と、撮像部が撮像した撮像データに対して座標変換処理を行って、座標変換データを生成する処理部と、処理部が生成した座標変換データを表示する表示部と、を備えてもよい。【０００９】  また、プリズム構造体は、フレームと、フレームに左右方向に並べて配置され、それぞれに入射する入射光を、同じ方向に向けて屈折させる一対のプリズムレンズと、を備えている。【００１０】  また、プリズムレンズの屈折角は、０．５°〜２０°であってもよい。【００１１】  また、プリズムレンズは、有色透明であってもよい。【００１２】  また、一対のプリズムレンズにおける屈折角は同一であってもよい。【００１３】  また、一対のプリズムレンズは、下方から上方に向けて厚みが厚くなってもよい。【００１４】  また、一対のプリズムレンズは、上方から下方に向けて厚みが厚くなってもよい。【００１５】  また、一対のプリズムレンズは、装用者が使用する際に、装用者から見て右側から左側に向けて厚みが厚くなってもよい。【００１６】  また、一対のプリズムレンズは、装用者が使用する際に、装用者から見ての左側から右側に向けて厚みが厚くなってもよい。【００１７】  また、本発明のプリズム眼鏡におけるレンズの選定方法は、フレームと、フレームに左右方向に並べて配置され、それぞれに入射する入射光を、同じ方向に向けて屈折させる一対のプリズムレンズと、を備えているプリズム眼鏡におけるレンズの選定方法であって、被験者に、歩行時における立脚中期の姿勢を維持させた状態で、眼球のみを上下左右に動作させ、眼球を動かしにくい方向である眼球の不動方向を特定する眼球の不動方向特定ステップと、眼球の不動方向特定ステップにおいて特定された眼球の不動方向に向けて、眼球の動きを促進するプリズムレンズを選択するレンズ選択ステップと、を実行する。
【発明の効果】
【００１８】  本発明のプリズム眼鏡では、一対のプリズムレンズが、それぞれに入射する入射光を、同じ方向に向けて屈折させることができる。このため、視覚を通して装用者の脳に入力される視覚情報が変更され、装用者の空間認識が変更されることで、視覚情報が装用者の脳や体に対して与える影響を調整することができる。
【図面の簡単な説明】
【００１９】
【図１】本発明のプリズム眼鏡の外観図である。
【図２】本発明の視覚情報変更装置としてのプリズム眼鏡（プリズム構造体）の第１実施形態において、入射光の屈折の様子を示す図である。
【図３】本発明の第２実施形態に係るプリズム眼鏡において、入射光の屈折の様子を示す図である。
【図４】本発明の第３実施形態に係るプリズム眼鏡において、入射光の屈折の様子を示す図である。
【図５】本発明の第４実施形態に係るプリズム眼鏡において、入射光の屈折の様子を示す図である。
【図６】プリズムレンズの選定方法における第１姿勢を示す図である。
【図７】プリズムレンズの選定方法における第２姿勢を示す図である。
【図８】本発明のプリズム構造体の第１変形例を示す図である。
【図９】本発明のプリズム構造体の第２変形例を示す図である。
【図１０】本発明の第５実施形態に係る視覚情報変更装置の外観図である。
【図１１】図１０に示す視覚情報変更装置の表示部を示す図である。
【図１２】図１０に示す視覚情報変更装置の構成を示すブロック図である。
【図１３】図１０にしめす視覚情報変更装置を使用する状態を示す図である。
【図１４】（ａ）は、プリズムレンズ眼鏡の一例を示す斜視図である。（ｂ）は、プリズムレンズ眼鏡の天面図である。（ｃ）は、プリズムレンズ眼鏡の天面図であってプリズムレンズを回転させている様子を示す図である。（ｄ）は、回転後のプリズムレンズ眼鏡の天面図である。
【図１５】（ａ）は、プリズムレンズ眼鏡のネジによるフロント部とプリズムレンズの接続部分の拡大断面図である。（ｂ）は、プリズムレンズの斜視図である。（ｃ）は、プリズムレンズの側面図である。（ｄ）は、プリズムレンズ眼鏡のフロント部の拡大斜視図である。
【図１６】（ａ）は、プリズムレンズ眼鏡の側面図である。（ｂ）は、プリズムレンズ眼鏡の天面図であってプリズムレンズを回転させている様子を示す図である。（ｃ）は、回転後のプリズムレンズ眼鏡の側面図である。
【図１７】（ａ）は、プリズムレンズ及びフロント部を長方形に形成したプリズムレンズ眼鏡の斜視図である。（ｂ）は、プリズムレンズを横回転させている様子を示す図である。（ｃ）は、プリズムレンズを縦回転させている様子を示す図である。
【図１８】（ａ）は、上下方向自在で使用可能なプリズムレンズ眼鏡の一例を示す斜視図である。（ｂ）は、装用者側から見たプリズムレンズ眼鏡の一例を示す背面図である。（ｃ）は、プリズムレンズの断面図である。（ｄ）は、プリズムレンズ眼鏡のノーズパッド部分の側面図である。
【図１９】（ａ）は、ノーズパッドの他の例を示す図である。（ｂ）〜（ｄ）は、ノーズパッドの他の例を示す図であって、ノーズパッドをブリッジに対して回転可能に構成した例を示す図である。
【図２０】（ａ）は、プリズムレンズ眼鏡の一例を示す斜視図である。（ｂ）は、プリズムレンズ眼鏡の側面から見たレンズ部分の断面図である。（ｃ）は、プリズムレンズ眼鏡のフロント部分の分解斜視図である。（ｄ）は、プリズムレンズ眼鏡の受け側フロント部分の正面図である。
【図２１】ベゼル型のプリズムレンズ眼鏡の他の態様を示す斜視図である。
【発明を実施するための形態】
【００２０】（第１実施形態）  本発明の第１実施形態に係る視覚情報変更装置としてのプリズム眼鏡１について、図１および図２を参照して説明する。図１は、本発明のプリズム眼鏡１の外観図であり、図２は、本発明の第１実施形態に係るプリズム眼鏡１において、入射光の屈折の様子を示す図である。
【００２１】  視覚情報変更装置は、装用者の眼を覆うように装用されるとともに、外界からの光の向きを変更して、装用者の眼に入力する機能を有している。  本実施形態では、視覚情報変更装置は、プリズム構造体、特にプリズム眼鏡により構成されている。なお、この説明において、プリズム構造体とは、プリズムレンズ等の光を屈折する性質を備えた構造物を指す。
【００２２】  図１に示すように、本実施形態に係るプリズム構造体としてのプリズム眼鏡１は、フレーム１０と、フレーム１０に左右方向に並べて配置され、それぞれに入射する入射光を、同じ方向に向けて屈折させる一対のプリズムレンズ１１と、を備えている。
【００２３】  一対のプリズムレンズ１１における屈折角は同一である。ここで、図２に示すように、レンズの屈折角とは、レンズに入射する光の屈折角であり、レンズへの入射光とレンズからの出射光とがなす角度θを指している。プリズムレンズ１１の屈折角は、０．５°〜２０°であることが想定され、特に０．５°〜２°であることが好ましい。  プリズムレンズ１１は、装用者側の面が平坦面となっており、装用者の前方側の面が、平坦面に対して傾斜する傾斜面となっている。これにより、プリズムレンズの厚みは、単調に増減している。
【００２４】  プリズムレンズ１１は、屈折させる方向により、ベースレフトプリズム１１Ａ、ベースライトプリズム１１Ｂ、ベースダウンプリズム１１Ｃ、およびベースアッププリズム１１Ｄに区別される。この第１実施形態では、ベースレフトプリズム１１Ａについて説明する。
【００２５】  プリズムレンズ１１は、無色透明であってもよいが、有色透明であってもよい。例えばプリズムレンズ１１を赤色透明にした場合には、装用者Ｐ１（図２参照）の交感神経を、副交感神経に対して優位にしてアドレナリンの分泌を促すことが期待できる。  また、このようなアドレナリンの分泌により、装用者Ｐ１の脈拍や呼吸数を増加させることができる。これにより、体感温度の上昇や血流増進の効果が期待される。このため、体の冷えを感じるとき、さらに元気や自信が欲しい場合や、エネルギーを活発にしたい場合に推奨される。
【００２６】  また、例えばプリズムレンズ１１を黄色透明にした場合には、装用者Ｐ１の左脳を刺激し、頭の回転を良くすることができる。これにより、ポジティブシンキングを導きコミュニケーション能力を高めることができ、例えば人前に立つときなどに推奨される。  さらに、食欲増進など、消化器系の動きを活発にする効果も期待できる。これは、内分泌系に働きかけて成長ホルモンの分泌を促すことができるからである。
【００２７】  また、例えばプリズムレンズ１１を緑色透明にした場合には、暖色と寒色の間の中間色になり、刺激が少ない分落ち着きや安心感を得ることができる。また、昔から緑色は目を休める効果があるとされ、緑色透明のプリズムレンズを通して前方を見つめることで、疲労の軽減が期待される。
【００２８】  また、例えばプリズムレンズ１１を青色透明にした場合には、副交感神経を優位にして、神経の興奮を鎮静することが期待できる。このため、血圧・脈拍・体温を下げ、心身をリラックスすることが期待できる。不眠に悩んでいる場合や、冷静な判断力、観察力を高め、じっくり物事と向き合いたい場合に推奨される。
【００２９】  また、例えばプリズムレンズ１１をピンク色透明にした場合には、女性ホルモンの分泌を促進することが期待できる。このため、女性らしさを感じたい場合や恋愛をしている場合、婦人科系のトラブルに悩んでいる場合に推奨される。  また、例えばプリズムレンズ１１を紫色透明にした場合には、赤と青という色調が大きく異なる色が混ざった色であり、癒しの力や直感力を向上させる働きがあり、心が葛藤状態にある場合に推奨される。
【００３０】  また、図２に示すように、本実施形態では、一対のプリズムレンズ１１は、装用者Ｐ１が使用する際に、装用者Ｐ１から見て右側から左側に向けて厚みが厚くなっている。このようなプリズムレンズ１１をベースレフトプリズム１１Ａと呼ぶ。  ベースレフトプリズム１１Ａの場合、装用者Ｐ１の視覚情報は、実際の空間よりも右側に移動した状態で入力される。このため、眼球の右方向への回転運動を促進することができる。
【００３１】  この点について詳述すると、視線は歩行動作を先導するので、目標となる対象物が右側に移動した状態では、右方向への歩行動作が促進されるとともに、眼球が右側に回転する。  これから向かう先の視覚情報を得るという機能と、そちら側に視線を向けるために眼球をどの程度動かしたのか（眼球を回転運動させたか）という情報を利用して、体幹の回旋を正確にコントロールする機能が重要となる。つまり、人は無意識の中で視覚から得られる様々な情報を用いて歩行している。また、これらの変化によりオプティックフローが変化するということは、歩行が変化するということである。歩行が変化することにより、インターナルループとエクスターナルループの再構築が期待できる。
【００３２】  また、装用者Ｐ１の身体は、歩行時には右加重が促進される。これにより、右半身は坂道を上っているような屈曲した緊張状態、左半身は坂道を下っているような伸張した弛緩状態となる。これを歩行による相反性交互運動という。これは、右側と反対側の左大脳皮質の活性化（ＰＭＲＦ：Pontomedullary Reticular Formation）によるものである。
【００３３】  以上説明したように、本実施形態に係るプリズム眼鏡１によれば、一対のプリズムレンズ１１が、それぞれに入射する入射光を、同じ方向に向けて屈折させることができる。このため、視覚を通して装用者Ｐ１の脳に入力される視覚情報が変更され、装用者Ｐ１の空間認識が変更されることで、視覚情報が装用者Ｐ１の脳や体に対して与える影響を調整することができる。この点について以下に詳述する。
【００３４】  一般に、人間は視覚情報、前庭感覚、体性感覚によって自身の立ち位置を決めている。このため、視覚から入力される各種の情報は、大脳皮質に影響を与え、身体の姿勢機能の変化を生み出す。さらに言えば、視覚情報を変更し、空間の認識を変化させる事で、偏った姿勢感覚を、本来あるべき正常な姿勢感覚に向けて変化を与えることができる。  すなわち、視覚情報として認識するインプット情報により、視覚を通して入力される外部の空間が変位することで、アウトプット情報としての身体の姿勢を、無意識レベルで変化させることが期待できる。
【００３５】  例えば、斜視による患者が歩行時の腰痛を訴えるケースにおいて、患者の歩行周期に分けて歩行動作を分析した結果、プリズムレンズ１１の着用時に代償動作の減少が確認されている。この場合の代償動作とは、斜視であることを補うために行う姿勢変化等の動作のことを指す。  これまで、歩行動作に見られる機能異常に対して、運動指導者やセラピストは、筋肉による出力としての歩行動作の異常を修正することを第一に考え、筋力の改善を中心に取り組んできた。
【００３６】  しかしながら、歩行制御には視覚情報、前庭感覚情報、体性感覚が関わっている。また、理想的な動作を遂行できる様にする身体制御システムとともに、繰り返し行われる身体制御システムからの動作パターンの乱れに対して、未然に対処する機能にも視覚情報は最大限利用されていることが近年確認されている。このため、斜視眼患者対して、プリズムレンズ１１を用いて空間認知機能を変化させるアプローチは、非常に大きな効果が期待できる。
【００３７】  また、眼球運動の滑走性の確保は後頭下筋群の緊張抑制になる。この為、眼球運動と、頭部の運動と、を分離独立して行えることが重要である。本発明のプリズム眼鏡１のように、プリズムレンズ１１を使用し、眼球への負荷を最小限に抑えることで、適正な眼球アライメントの確保を獲得することが期待できる。ここで、眼球アライメントとは、眼球の眼窩内での位置を指す。
【００３８】  また、歩行での緊張は、グラウンディングと地面認知以外に視覚情報を得るための、身体による代償行為ともいえる。すなわち、眼球の動きを、頭部（眼窩）の動きに対して分離させることは、視覚を獲得するために、他の感覚器官の犠牲や伸展筋群の筋緊張を減らすことができる。
【００３９】  また、本実施形態のプリズム眼鏡１のようにベースレフトプリズム１１Ａを使った場合には、目標物とともに右側に移動した空間を利用して、目標物に手を伸ばす行為を繰り返し学習させる。これにより、装用者Ｐ１が、怪我や疾患等により、認識できなくなってしまった空間を、プリズムレンズ１１で変化させることで、日常生活における各種動作の改善につなげることができる。
【００４０】  具体的には、脳の損傷による半空間無視の患者は、視野の半分を認識できなくなってしまうため、生活の質を大きく損なってしまう。視野の半分が認識できないため歩行や動作に大きな影響がおよぶ。脳損傷による半空間無視にプリズムレンズ１１を使用することにより、クライアントのＱＯＬ（クオリティオブライフ）の改善に役立てることが可能である。
【００４１】  また、無意識下での口の中における舌のポジションは、眼球アライメントと繋がっている。脳幹による同時発火作用によるものである。この為プリズムレンズ１１によって舌のポジションに変化をもたらすことが可能となる。  ベースレフトプリズム１１Ａの場合、装用者の舌は右側に寄ることとなる。
【００４２】（第２実施形態）  次に、本発明の第２実施形態に係るプリズム眼鏡１について、図３を参照して説明する。なお、以下の説明では、第１実施形態と同一の構成、および同一の効果についてはその説明を省略する。図３は、第２実施形態に係るプリズム眼鏡１において、入射光の屈折の様子を示す図である。
【００４３】  図３に示すように、本実施形態に係るプリズム眼鏡１における一対のプリズムレンズ１１は、装用者Ｐ１が使用する際に、装用者Ｐ１から見ての左側から右側に向けて厚みが厚くなっている。このようなプリズムレンズ１１をベースライトプリズム１１Ｂと呼ぶ。
【００４４】  ベースライトプリズム１１Ｂの場合、装用者Ｐ１の視覚情報は、実際の空間よりも左側に移動した状態で入力される。このため、眼球の左方向への回転運動を促進することができる。  また、装用者Ｐ１の身体は、歩行時には左加重が促進される。これにより、左半身は坂道を上っているような屈曲した緊張状態、右半身は坂道を下っているような伸張した弛緩状態となる。これは、左側と反対側の右大脳皮質の活性化によるものである。
【００４５】  以上説明したように、本実施形態に係るプリズム眼鏡１のようにベースライトプリズム１１Ｂを使った場合には、目標物とともに左に移動した空間を利用して、目標物に手を伸ばす行為を繰り返し学習させる。これにより、認識できなくなってしまった空間の偏りを、プリズムレンズ１１で変化させることで、日常生活における各種動作の改善に繋げることができる。
【００４６】  人は本来、右周辺視野が、左周辺視野よりも優位になっている。これは右重心であることと関係があり、左脳大脳皮質の働きが右脳大脳皮質の働きよりも活発であることと関係している。  また、ベースライトプリズム１１Ｂの場合、装用者Ｐ１の舌は左側に寄ることとなる。
【００４７】（第３実施形態）  次に、本発明の第３実施形態に係るプリズム眼鏡１について、図４を参照して説明する。なお、以下の説明では、第１実施形態と同一の構成、および同一の効果についてはその説明を省略する。図４は、第３実施形態に係るプリズム眼鏡１において、入射光の屈折の様子を示す図である。
【００４８】  図４に示すように、本実施形態に係るプリズム眼鏡１における一対のプリズムレンズ１１は、上方から下方に向けて厚みが厚くなっている。このようなプリズムレンズ１１をベースダウンプリズム１１Ｃと呼ぶ。  ベースダウンプリズム１１Ｃの場合、装用者Ｐ１の視覚情報は、実際の空間よりも上側に移動した状態で入力される。このため、眼球の上転運動を促進することができる。また、装用者Ｐ１の身体のうち、頭の位置は後ろに変化する。また、歩行時には、踵接地、および屈筋群の屈曲が促進される。
【００４９】  以上説明したように、本実施形態に係るプリズム眼鏡１によれば、頭が前方に向けて頸部が傾く状態であるフォワードヘッドを抑制することで、頭頸部の前方頭位を抑制し、頸部への負担を減らすことが可能になる。
【００５０】  例えば、頭が中立位置から１０ｃｍ前方に位置するように頸部が傾くと、首への負担は約１０ｋｇ増加する。この為、頸部のニュートラリティー（適切な姿勢）が確保できなくなってしまい、首の痛みや肩こり、頚動脈の流れが阻害され脳への血流量が低下する。  これにより、持続的な血液循環の機能が維持出来ず、眠気や疲労を感じやすくなる。フォワードヘッドは、呼吸機能への影響も大きい為、これを解消することは、目の機能維持、頸部の機能維持のためにも非常に重要である。これらの機能維持にベースダウンプリズム１１Ｃを使用することができる。
【００５１】  また、現代病を予防するために、ベースダウンプリズム１１Ｃによる空間認知療法を使用する効果が期待できる。眼球は下方回旋、もしくはフォワードヘッドやうつ伏せといった眼球が下方に向いている場合、眼軸の延長につながる眼圧の上昇を引き起こす。  ベースダウンプリズム１１Ｃによれば、眼球の上転機能をサポートして、眼軸の延長を作らない、すなわち近視になりにくい環境をつくることができる。
【００５２】  昨今デジタルデバイスの影響もあり、近くで物を見る環境が多く、眼球はもっぱら下転運動をする傾向にある。眼球の下方回旋は、咬合動作、特に上顎の適正な発達を阻害する可能性が発表されている為、ベースダウンプリズム１１Ｃを使用することで、眼球の上転を促進し適正な上顎の発達を促進させることが期待できる。
【００５３】  また一般に、デジタルデバイスを見ている姿勢の多くは眼球下転である。眼球下転とは、眼窩内で眼球が下方に向けて回転する動作を指す。眼球下転時には眼窩後方に若干のスペースが生まれる。このスペースが生まれた状態で眼圧が上昇(デジタルデバイスの刺激)すると眼軸が延長し、近視となる眼球に変化する可能性がある。
【００５４】  また、一般に人体において、６ｍより近いものを見る場合には、水晶体による調節作用が働き、水晶体の前後軸が長くなる。水晶体の前後軸とは、水晶体の最も厚い中心部分の前後方向の厚みを指す。  この為、房水の流れを阻害し眼圧が上昇する。さらに、眼球の下転はフォワードヘッドの原因でもあり、この姿勢が続くと内頚動脈への負担から眼球への血流が阻害され、血流量の低下＋眼圧の上昇といった最悪の組み合わせが、緑内障につながり、進行すると失明につながる問題に発展する。  このような問題に対して、眼球を上転運動させ、頭頸部の前方頭位を抑制するベースダウンプリズム１１Ｃに効果が期待される。
【００５５】  また、スマートフォンやパソコンによるデスクワークといった作業下では眼圧上昇が懸念される。ベースダウンプリズム１１Ｃを処方することにより、空間の水平方向の基準線を上げることができる。これにより、眼球の下方回旋ならびに眼球自体が下方に向くことによって引き起こされる眼圧の上昇を抑制し、緑内障などの眼病から目の機能を守ることが期待できる。
【００５６】  また、ベースダウンプリズム１１Ｃの場合、装用者Ｐ１の舌は上側に寄ることとなる。舌と眼の動きは関係性があり、この場合、眼を上転させることで、無意識下で舌は口腔内で口蓋に触れやすくなる。これにより、口の中における舌のポジションが適正な位置となり、口呼吸から鼻呼吸に変化させることのアプローチに繋がる。これにより、体幹・下肢筋力の安定化、フォワードヘッドの改善、および低舌位における無呼吸症候群の解消が期待できる。
【００５７】  また、ベースダウンプリズム１１Ｃを使い、無意識化において自律神経を調整することができる。  現代人は、主に眼球下転となる眼の使い方をすることが多い。眼球下転の動作は、滑車神経と動眼神経に支配されている。このうち、より優位性の高い第四脳神経の滑車神経は、交感神経に支配されているので、眼球下転時には交感神経は常に過活動となっている。
【００５８】  これに対して、ベースダウンプリズム１１Ｃは眼球上転をサポートする。眼球上転の動作は第三脳神経の動眼神経に支配されており、動眼神経は副交感神経支配である。このため、眼球上転の動作を行うことで、副交感神経の活動を増やす効果を期待することができる。
【００５９】  また、ベースダウンプリズム１１Ｃを使い、舌ポジションの適正化を無意識化にてサポートすることができる。すなわち、眼球上転の動作により、舌が口蓋に接触するように上方に変位する。この位置に舌があるとき、人は無意識的に鼻呼吸を促進する為、副交感神経優位となる。
【００６０】  また、脳の前頭葉は、口呼吸では、鼻呼吸よりも酸素を消費しやすく、活動が休まらない。逆に、鼻呼吸を行うと、呼吸回数を低下させることができ、副交感神経優位の効果が更に期待できる。
【００６１】  また、ベースダウンプリズム１１Ｃを使い屈筋群の屈曲を優位にする姿勢は、後縦隔の緊張を抑制する効果が期待できる。後縦隔は交感神経節の集まりである為、後縦隔の緊張を抑制することで、呼吸時の吸気を促進する効果が期待できる。  前述した眼球上転、舌ポジションの変化、後縦隔の緊張抑制という３つの作用により、現代人の特徴である、常に交感神経優位の状態から、副交感神経優位の状態を作ることで、自律神経のバランス調整に非常に大きな効果が期待できる。
【００６２】（第４実施形態）  次に、本発明の第４実施形態に係るプリズム眼鏡１について、図５を参照して説明する。なお、以下の説明では、第１実施形態と同一の構成、および同一の効果についてはその説明を省略する。図５は、第４実施形態に係るプリズム眼鏡１において、入射光の屈折の様子を示す図である。
【００６３】  図５に示すように、本実施形態に係るプリズム眼鏡１における一対のプリズムレンズ１１は、下方から上方に向けて厚みが厚くなっている。このようなプリズムレンズ１１をベースアッププリズム１１Ｄと呼ぶ。  ベースアッププリズム１１Ｄの場合、装用者Ｐ１の視覚情報は、実際の空間よりも下側に移動した状態で入力される。このため、眼球の下転運動を促進することができる。また、装用者Ｐ１の身体のうち、頭の位置は前に変化する。また、歩行時には、踵接地の抑制、および伸筋群の伸展が促進される。
【００６４】  本実施形態に係るベースアッププリズム１１Ｄの場合、装用者Ｐ１の舌は下側に寄ることとなる。舌と眼の動きは関係性があり、下肢筋群の過緊張につながり、例えばあえて安定した状態を崩すことができる可能性がある。このような効果が期待される場面としては、例えば伸筋群の進展が苦手な人が、スポーツの場面等で選択的に使用する用途等が想定される。
【００６５】（プリズムレンズ１１の選定方法）  次に、第１実施形態から第４実施形態に係るプリズムレンズ１１のうち、どのプリズムレンズ１１を使用するべきかを判断するプリズムレンズ１１の選定方法について、図６および図７を用いて説明する。  図６は、プリズムレンズ１１の選定方法における第１姿勢を示す図である。図７は、プリズムレンズ１１の選定方法における第２姿勢を示す図である。
【００６６】  プリズム眼鏡１におけるレンズの選定方法では、被験者Ｐ２の眼球の不動方向を特定する眼球の不動方向特定ステップと、不動方向に基づいてプリズムレンズ１１を選択するレンズ選択ステップと、を実行する。
【００６７】  不動方向特定ステップでは、図６および図７に示すように、被験者Ｐ２に、歩行時における立脚中期の姿勢を維持させた状態で、頭部（眼窩）に対して眼球のみを上下左右に動作すること（分離動作という）が可能かどうかを確認する。これにより、眼球を動かしにくい方向である眼球の不動方向を特定する。  次に、レンズ選択ステップでは、不動方向特定ステップにおいて特定された眼球の不動方向に向けて、眼球の動きを促進するプリズムレンズ１１を選択する。これらについて、詳細を説明する。
【００６８】  まず、不動方向特定ステップとして、被験者Ｐ２に、図６に示すように、右立脚中期（第１姿勢）となる姿勢を維持させる。右立脚中期とは、体の右側が屈曲（緊張）し、左側が伸展（弛緩）している状態である。この姿勢を具体的に説明すると、右下肢が左下肢より後ろに位置するように立つ。この際、右の膝は固定しない。左の上肢は後方、右の上肢は前方に位置させる（歩行運動の交互性を再現させる）。また、右股関節を左股関節よりも後方に位置させる。なお、この姿勢が取れない場合は評価外であり、プリズムレンズ１１を使用できる状態ではない。また、評価中は呼吸を止めることなく姿勢を維持させる。
【００６９】  次に、図６の状態で、Ａ）眼球のみを下方に向けて動かして、下方を見ながら姿勢を維持できるかどうか、を確認する。また、Ｂ）眼球のみで右を見ながら姿勢を維持できるかどうか、を確認する。  仮に、Ａ）、Ｂ）の判定がＮＧの場合には、眼球の不動方向が右側ということになる。この場合には、ベースレフトプリズム１１Ａにより、右視空間認知を高めるプランを製作する。
【００７０】  次に、図６の状態で、Ｄ）眼球のみを左側に向けて動かして、左側を見ながら姿勢を維持できるかどうかを確認する。仮に、Ｄ）の判定がＮＧの場合には、不動方向が左側ということになる。この場合には、レンズ選択ステップにおいて、左側に向けて、眼球の動きを促進するプリズムレンズ１１である、ベースライトプリズム１１Ｂを選択する。
【００７１】  次に、図６の状態で、Ｂ）眼球のみを上方に向けて動かして、上方を見ながら姿勢を維持できるかどうかを確認する。仮に、Ｂ）の判定がＮＧの場合には、眼球の不動方向が上方ということになる。この場合には、レンズ選択ステップにおいて、上方に向けて、眼球の動きを促進するプリズムレンズ１１である、ベースダウンプリズム１１Ｃを選択する。
【００７２】  次に、図６の状態から、Ｅ）頭部を左回旋させ、眼球のみで右側を見る。この動作において、眼球の動きと頭頚部の動きを分離することができない場合には、既に行ったＡ）〜Ｄ）の評価が適切ではなかった可能性がある。このため、再度Ａ）〜Ｄ）の評価を行う。
【００７３】  また、被験者Ｐ２に、図７に示すように、左立脚中期となる姿勢（第２姿勢）を維持させる。左立脚中期とは、体の左側が屈曲（緊張）し、右側が伸展（弛緩）している状態である。  そして、Ｆ）眼球のみを下方に向けて動かして、下方を見ながら姿勢を維持できるかどうか、を確認する。また、Ｇ）眼球のみで右を見ながら姿勢を維持できるかどうか、を確認する。更に、Ｈ）眼球のみで左を見ながら姿勢を維持できるかどうか、を確認する。  仮に、Ｆ）、Ｇ）、Ｈ）の判定がＮＧの場合には、眼球の不動方向が左側ということになる。この場合には、ベースライトプリズム１１Ｂにより、左視空間認知を高めるプランを製作する。
【００７４】  また、図７の状態で、Ｉ）眼球のみを上方に向けて動かして、上方を見ながら姿勢を維持できるかどうか、を確認する。仮にＩ）の判定がＮＧの場合には、眼球の不動方向が上側ということになる。この場合には、ベースダウンプリズム１１Ｃにより、上視空間認知を高めるプランを製作する。
【００７５】  また、図７の状態で、頭部を右回旋させ、眼球のみで左側を見る。この動作において、眼球と頭頚部を独立して動かすことができない場合には、既に行ったＦ）〜Ｉ）の評価が適切ではなかった可能性がある。このため、再度Ｆ）〜Ｉ）の評価を行う。
【００７６】  （変形例）  次に、プリズム構造体の変形例について、図８および図９を用いて説明する。図８は、本発明のプリズム構造体の第１変形例を示す図、図９は、本発明のプリズム構造体の第２変形例を示す図である。  図８に示す第１変形例に係るプリズム構造体２０は、既存の眼鏡２１に着脱可能なアタッチメント構造のプリズムレンズとなっている、また、このようなアタッチメント構造に代えて、例えばシール状のプリズムシートを、既存の眼鏡２１に貼付するような構成であってもよい。
【００７７】  図９に示す第２変形例に係るプリズム構造体３０は、装用者Ｐ１の頭に巻きつけることで、プリズムレンズを頭部に固定可能なゴーグル構造となっている。プリズムレンズは、左右一対でもよいし、左右でひとつのレンズであってもよい。
【００７８】（第５実施形態）  次に、第５実施形態に係る視覚情報変更装置４０について、図１０から図１３を参照して説明する。この実施形態では、プリズム構造体に代えて、ＶＲ（Virtual Reality）ゴーグルにより、視覚情報変更装置４０が実現されている。  図１０は、本発明の第５実施形態に係る視覚情報変更装置４０の外観図、図１１は、視覚情報変更装置４０の表示部４４を示す図である。また、図１２は、視覚情報変更装置４０の構成を示すブロック図、図１３は、視覚情報変更装置４０を使用する状態を示す図である。
【００７９】  図１０に示すように、視覚情報変更装置４０は、左右一対のフレーム４１と、フレーム４１に支持される装置本体と、を備えている。左右一対のフレーム４１を耳にかけることで、装置本体４２により装用者Ｐ１の眼を覆うように装用することができる。  装置本体４２の前面には、前方を向く撮像部４３が配置されている。撮像部４３は、外界からの光を用いて撮像する機能を有し、左右に間隔をあけて一対配置されている。なお、撮像部４３は、一つであってもよいし、３つ以上であってもよい。
【００８０】  図１１に示すように、装置本体４２の後面（装用者Ｐ１の前方）には、表示部４４（モニタ）が設けられている。表示部４４は、左側の第１表示部４４Ａと右側の第２表示部４４Ｂから構成されている。第１表示部４４Ａと第２表示部４４Ｂには、それぞれ両眼視差に対応した画像が表示される。なお、表示部４４は左右共通の１つのモニタで構成されてもよい。
【００８１】  図１２に示すように、視覚情報変更装置４０は、処理部４５を備えている。処理部４５は、撮像部４３が撮像した撮像データに対して座標変換処理を行って、座標変換データを生成する。  処理部４５は、視覚情報変更装置４０の各部を制御するものであり、例えば、中央処理装置（ＣＰＵ）である。また、処理部４５は、マイクロプロセッサ、ＡＳＩＣ、ＦＰＧＡなどであってもよいし、視覚情報変更装置４０の各部を制御できるものであれば、これらの例に限られず、どのような構成であってもよい。さらに、処理部４５は、１以上のコンピュータにより構成されるクラウドコンピューティングにより実現され、装置本体４２とは異なる装置に実装されてもよい。
【００８２】  そして、表示部４４が、処理部４５が生成した座標変換データを表示する。この点について、以下に詳述する。  図１３に示すように、左右一対の撮像部４３は、それぞれが正面の外界からの光を用いて撮像を行って、撮像データを２種類取得する。２種類の撮像データは、一対の撮像素子の位置により生じる視差に基づいて、データ内容が異なっている。
【００８３】  次に、処理部４５はこれらのデータに基づいて、装用者Ｐ１の視覚の焦点となる基準点Ｘを想定する。この基準点Ｘに対して、予め設定された変位差Δｔに基づいて、基準点Ｘが変位点Ｘ’となるように、２種類の画像データそれぞれに対して座標変換処理を行う。この処理により、２つの座標変換データそれぞれが有する空間情報が、撮像データに対して変位差Δｔだけ右側にずれた状態となる。なお、変位差Δｔは寸法として管理している例を説明しているが、角度の変化量により管理してもよい。
【００８４】  そして、第１表示部４４Ａおよび第２表示部４４Ｂが、それぞれの眼に２種類の座標変換データのうち、対応する一方を表示することで、空間情報が変化した状態で装用者Ｐ１に入力される。  これにより、外界からの光の向きを変更して、装用者Ｐ１の眼に入力することが可能になり、前述した第１実施形態に係るベースレフトプリズム１１Ａと同様の効果を奏することができる。
【００８５】  また、空間情報を変化させる方向は、上下左右のいずれであってもよく、任意に変位差Δｔの向きと大きさを設定することができる。  このような場合には、例えば処理部４５に対して入力を行う設定部を、装置本体４２に設け、この設定部を操作することで、前述したプリズムの屈折角に対応するように、変位差Δｔを調整してもよい。
【００８６】  なお、上述の実施形態は、本発明の代表的な実施形態を単に例示したものにすぎない。したがって、本発明の趣旨を逸脱しない範囲において、上述の実施形態に対して種々の変形を行ってもよい。
【００８７】  例えば、上記各実施形態においては、プリズムレンズ１１の屈折角は、０．５°〜２０°である構成を示したが、このような態様に限られない。プリズムレンズ１１の屈折角は、任意に設定することができる。  また、プリズムレンズ１１は、近視、遠視、または乱視等を解消する視力矯正のための所定の度数を有していてもよいし、度数を有していなくてもよい。
【００８８】  また、前述した変形例に限られず、これらの変形例を選択して適宜組み合わせてもよいし、その他の変形を施してもよい。
【００８９】（第６実施形態）  上記実施形態においては、一端の厚みを他端の厚みよりも厚くしたプリズムレンズを用いて、装用者がプリズムレンズメガネをかけていない状態では見えていない（認識できていない）領域を、プリズムレンズ眼鏡によって見えるようにすることで、脳に刺激を与え、使用されていない脳の領域を活性化させる例を説明した。なお、ここでいう「見えていない（認識できていない）領域」というのは、実際に脳の障害等により起こる視空間認知能力の低下や、健常者であっても、環境による視空間の癖によって偏る、視空間マップに於けるあまり使われていない空間情報を含む。
【００９０】  本第６実施形態においては、プリズムレンズ眼鏡の利便性を向上させる態様について説明する。即ち、一つのプリズムレンズ眼鏡で、装用者の視界に対する入力方向を変更することができる態様を説明する。
【００９１】  図１４は、本第６実施形態におけるプリズムレンズ眼鏡の一態様を示す図である。図１４（ａ）は、プリズムレンズ眼鏡１４００の斜視図であり、図１４（ｂ）〜図１４（ｄ）は、プリズムレンズ眼鏡１４００の天面図である。図１４（ａ）に示すように、プリズムレンズ眼鏡１４００は、フレームと、上記実施形態に示したようなプリズムレンズ１１を備える。フレームは、ブリッジ１４０１と、ブリッジ１４０１により接続され、プリズムレンズ１１を挟持するフロント部１４０２と、フロント部１４０２から延伸するテンプル１４０３と、テンプルの先端に設けられるモダン１４０４と、フロント部１４０２に設けられ、装用者の鼻に接触してプリズムレンズ眼鏡を支持するノーズパッド１４０５と、を備える。
【００９２】  第６実施形態においては、図１４（ｂ）〜図１４（ｄ）に示すように、左右のプリズムレンズ１１は、それぞれフロント部に対して回動可能に接続されている。図１４（ｂ）は、回転前の状態を示し、図１４（ｃ）は、回転途中の状態を示し、図１４（ｄ）は回転後の状態を示している。なお、図１４（ｄ）が回転前、図１４（ｂ）が回転後であってもよく、図１４（ｃ）の回転の向きは逆であってもよい。なお、ノーズパッド１４０５は、プリズムレンズ１１の回転を妨げないように構成されている。
【００９３】  具体的には、図１５（ａ）に示すように、プリズムレンズ１１とは、それぞれ、天頂部と底部とで、ネジ１４１１、１４１２により、フロント部１４０２に対して回動可能に接続されている。図１５（ａ）は、フロント部１４０２におけるネジ１４１１、１４１２が設けられている箇所の拡大断面図である。
【００９４】  図１５（ａ）に図示されるように、フロント部１４０２には、めねじが設けられ、ネジ１４１１、１４１２のネジ山と嵌合するように構成されている。また、プリズムレンズ１１には、ネジ１４１１、１４１２の先端が挿入される孔１５０１、１５０２が設けられている。ネジ１４１１、１４１２は共に、その先端部分であって、孔１５０１、１５０２と嵌合する箇所にはネジ山が設けられていない半ねじである。したがって、プリズムレンズ１１は、フロント部１４０２に対して回動可能に接続される。なお、フロント部１４０２に半球状の凹部を設けるとともに、プリズムレンズ１１の縁に、その凹部と嵌合する半球状の凸部を設ける構成であっても、プリズムレンズ１１をフロント部１４０２に対して回動可能に接続することができる。
【００９５】  図１５（ｂ）、（ｃ）に示すように、プリズムレンズ１１は、その縁に沿って、溝１５０３が設けられている。図１５（ｂ）は、プリズムレンズ１１の斜視図であり、図１５（ｃ）は、プリズムレンズ１１の側面図である。そして、図１５（ｄ）に示すように、プリズムレンズ眼鏡１４００のフロント部１４０２は、その内側に、プリズムレンズ１１の溝１５０３に嵌合するための凸部１５０４が設けられている。図１５（ｄ）は、フロント部１４０２であって、プリズムレンズ１１を嵌めていない状態のフロント部１４０２を示している。プリズムレンズ眼鏡１４００のフレームは、一定以上の剛性を有するとともに、プリズムレンズ１１の回転を許容し、人力で溝１５０３に凸部１５０４を嵌め込む程度の弾性を有することで、プリズムレンズ１１が、所定以上の力を加えない限りは回転しないように構成されている。したがって、装用者が、プリズムレンズ眼鏡１４００を装用しているときに独りでに回転することを防止できる。なお、溝１５０３をフロント部１４０２に設け、凸部１５０４をプリズムレンズ１１に設ける構造としてもよい。
【００９６】  プリズムレンズ眼鏡１４００は、図１４（ｂ）に示す態様では、ベースレフトプリズムとして機能し、図１４（ｄ）に示す態様では、ベースライトプリズムとして機能する。このように、プリズムレンズ眼鏡１４００は、左右の２方向に像をずらして装用者の眼に入力することができる。装用者は、プリズム眼鏡１４００を一定時間以上（例えば、半日であるが、これに限定するものではない）装着しながら、生活することで、像をずらして眼に入力することで、通常とは異なる脳の領域を刺激することができる。また、上記実施形態に示したように、その結果として、装用者の姿勢の矯正等にも用いることができる。
【００９７】  このように、第６実施形態に係るプリズムレンズ眼鏡１４００によれば、装用者は、右から左、あるいは、左から右に像をずらした視界入力を受け付けることができるので、装用者の脳を２方向で刺激するようにして使用することができる。
【００９８】（第６実施形態変形例１）  上記図１４、図１５に示す例では、プリズムレンズ１１を、鉛直方向を回転軸として回転させる例を示したが、これは、鉛直方向を回転軸に限定するものではない。水平方向を回転軸として回転させてもよい。
【００９９】  図１６（ａ）〜図１６（ｃ）は、プリズムレンズ眼鏡１６００の側面図を示す図である。図１４（ａ）に示すプリズムレンズ眼鏡１４００と異なり、フロント１４０２に対して垂直方向にネジ１４１１、１４１２が設けられたのに対して、本変形例では、フロント１６０２およびプリズムレンズ１１に対して、水平方向にネジ１６１１が、接続される点が異なる。
【０１００】  図１６（ａ）に示されるように、プリズムレンズ眼鏡１６００は、フロント１６０２によりプリズムレンズ１１が挟持される。プリズムレンズ１１は、テンプル１６０３のフロント１６０２側の端部で、ネジ１６２１により、フロント１６０３に対して回動可能に接続されている。
【０１０１】  図１６（ａ）〜図１６（ｃ）に示すように、左右のプリズムレンズ１１は、それぞれフロント部１６０２に対して回動可能に接続されている。図１６（ａ）は、回転前の状態を示し、図１６（ｂ）は、回転途中の状態を示し、図１６（ｃ）は回転後の状態を示している。なお、図１６（ｃ）が回転前、図１６（ａ）が回転後であってもよく、図１６（ｂ）の回転の向きは逆であってもよい。なお、ノーズパッド１６０５は、プリズムレンズ１１の回転を妨げないように構成されているに対して縦回転する。したがって、図１６（ａ）に示すように、変形例１に係るプリズムレンズ眼鏡１６００は、ベースアップ態様の眼鏡、並びに、図１６（ｃ）に示すようにベースダウン態様の眼鏡の双方の利用の仕方が可能となる。
【０１０２】  なお、回転可能であれば、プリズムレンズ１１の回転軸は、フロント部に対して斜め方向に設けられてもよい。
【０１０３】（第６実施形態変形例２）  上記第６実施形態および第６実施形態変形例１では、プリズムレンズ眼鏡のプリズムレンズの形として、円形のものを一例として示した。しかし、プリズムレンズ１１が、プリズムレンズ眼鏡のフロントに対して回転可能になっていれば、その形状は、円形に限定するものではない。
【０１０４】  図１７は、プリズムレンズ１１を円形ではなく、辺が湾曲した略長方形に構成したプリズムレンズ眼鏡１７００を示している。
【０１０５】  図１７（ａ）は、プリズムレンズ眼鏡１７００の斜視図である。図１７（ａ）に示すように、プリズムレンズ眼鏡１７００は、フロント１７０２及びプリズムレンズ１１の形状が略長方形に構成されている。プリズムレンズ１１は、フレームのフロント部１７０２の天頂部及び底部で、ネジ１７１１、１７１２により回動可能に接続されている。したがって、プリズムレンズ眼鏡１７００のプリズムレンズ１１は、図１７（ｂ）に示すように、フレームのフロント部１７０２に対して、横回転可能に構成されている。したがって、図１４（ｂ）と図１４（ｄ）とで示した場合と同様に、ベースレフトのプリズムレンズ眼鏡およびベースライトのプリズムレンズ眼鏡として機能するプリズムレンズ眼鏡１７００を提供することができる。
【０１０６】  一方、図１７（ｃ）は、プリズムレンズ１１をフレームのフロント部１７０２の左右方向から、回動可能に接続した例を示している。図１７（ｃ）に示されるように、プリズムレンズ１１は、フロントの外側（右外端部および左外端部）からねじ１７２１によりフロント１７０２に対して、水平に接続される。同様に、プリズムレンズ１１は、フロントの内側（ブリッジ側）からねじ１７２２により、フロント１７０２に対して水平に接続される。ねじ１７２１とねじ１７２２の軸は、同一の軸である。したがって、同じ回動軸でプリズムレンズ１１は、フロント部１７０２に対して回動する。ねじ１７２１、１７２２の形状およびフロント部１７０２への接続態様は、図１５（ａ）に示す態様と同様である。
【０１０７】  なお、図１７（ｂ）は、プリズムレンズ１１を横回転させている例を示し、図１７（ｃ）は、プリズムレンズ１１を縦回転させた例を示しているが、回転の方向は、図１７（ｂ）、図１７（ｃ）に示す矢印の方向とは逆方向であってもよい。
【０１０８】  このように、プリズムレンズ１１は、フレームに対して回転可能で、左右、上下で、プリズムレンズ１１が嵌合すれば、どのような形であってもよい。即ち、横回転させる場合には、左右の形状が回転軸を中心に対象であり、縦回転させる場合には、上下の形状が回転軸を中心に対象となる形状であれば、プリズムレンズ１１の外観はどのような形状でもよい。なお、プリズムレンズ１１の厚みに関しては、一端から他端に向かってその厚みが厚く（薄く）なるようになっていればよい。したがって、円形以外の形状のプリズムレンズ１１を有するプリズムレンズ眼鏡も提供することができ、装用者の眼鏡をファッションアイテムとして見た場合の満足感も充足させることができる。
【０１０９】（第６実施形態変形例３）  上記第６実施形態、変形例１、変形例２では、プリズムレンズ１１をフレームのフロントに対して回転させることで、光の屈折方向を変更し、装用者の刺激される脳の部位を変更できる例を示した。本変形例３においては、装用者のプリズムレンズ眼鏡の使用態様を変更することで、ベースレフトのプリズムレンズ眼鏡を、ベースライトのプリズムレンズ眼鏡にすることができる例を説明する。
【０１１０】  図１８（ａ）は、本変形例３に係るプリズムレンズ眼鏡１８００の外観を示す斜視図である。プリズムレンズ眼鏡１８００は、図１８に示す態様並びに、その天地を逆にした態様での使用も可能とする眼鏡である。そのために、図１８（ａ）に示すように、プリズムレンズ眼鏡１８００は、フロント部に接続するテンプル１８０３の先のモダン１８０４は、直線状に構成される。また、図１８（ｂ）は、プリズムレンズ眼鏡１８００を装用者が使用する際に見る側、すなわち、プリズムレンズ眼鏡１８００の背面図であるが、この図１８（ｂ）および図１８（ｄ）に示されるように、フロント部１８０２には、その上下方向にノーズパッド１８０５が設けられる。なお、プリズムレンズ眼鏡１８００においても、これまでの実施形態や変形例に示すように、そして、図１８（ｃ）に示すように、一端から他端に向けて、その厚みが増す（減じる）プリズムレンズ１１を用いる。なお、図１８（ａ）に示すプリズムレンズ眼鏡１８００において、プリズムレンズ１１の厚みの増す方向は、左右方向でも上下方向でもよく、さらには、脳の刺激を与えたい領域によっては、斜め方向であってもよい。
【０１１１】  図１９は、ノーズパッドの他の例を示す図である。図１９（ａ）は、一般的なノーズパッドを、上下方向に設けた例を示す図である。このような、態様であっても、プリズムレンズ眼鏡１８００を、上下方向のいずれの方向でも、装用者の顔に固定することができる。
【０１１２】  また、図１９（ｂ）〜（ｄ）は、ノーズパッド１９０５が、プリズムレンズ眼鏡１９００フロント部１９０２を接続するブリッジ１９０１に対して、軸１９０６により、回動自在に設けられた例を示している。ノーズパッド１９０５は、図示されるように、左右に対象に一連の部材で構成され、その端部に装用者の鼻に接触するパッドが設けられている。そして、その中央部分で、軸１９０６により、ブリッジ１９０１に回動自在に接続される。
【０１１３】  そして、図１９（ｂ）〜図１９（ｄ）の変化に示されるように、プリズムレンズ眼鏡１９００は、ノーズパッド１９０５を回転させることで、図１９（ｂ）の場合には、紙面下方を下側として使用することができ、図１９（ｄ）の場合には、紙面上方を下側として使用することができる。したがって、一対のノーズパッドのみで、上下方向の双方向での使用に耐えるプリズムレンズ眼鏡１９００を提供することができる。
【０１１４】  プリズムレンズ眼鏡１８００やプリズムレンズ眼鏡１９００を上下のどちらでも使用可能にする工夫としては、これらに限定するものではない。例えば、図１８（ａ）に示すプリズムレンズ眼鏡１８００のモダンをテンプルに対して曲げた状態で耳に掛けやすく構成する場合に、上下逆に使用した場合にも装用者の耳にかけることができるように、モダンをテンプルに対して回動可能に構成するように構成してもよい。また、あるいは、プリズムレンズ眼鏡１８００のモダンをテンプルに対して曲げた状態で耳に掛けやすく構成する場合に、その上下のいずれの側からでも装用者の耳にかけることができるように、モダンをテンプルに対して上下に分離させた二股構造にしてもよい。
【０１１５】（第６実施形態変形例４）  上記第６実施形態、変形例１、変形例２では、プリズムレンズ１１をフレームのフロントに対して、縦回転あるいは横回転させることで、視野をずらす方向を変える例を示した。本変形例４では、プリズムレンズ１１を、フレームのフロントに沿って回転させる例を説明する。
【０１１６】  図２０（ａ）は、プリズムレンズ眼鏡２０００の斜視図である。図２０（ａ）に示されるように、プリズムレンズ眼鏡２０００は、フレームと、上記実施形態に示したようにプリズムレンズ１１を備える。フレームは、ブリッジ２００１と、ブリッジ２００１により接続され、プリズムレンズ１１を挟持するフロント部２００２（２００２ａ、２００２ｂ）と、フロント部２００２ｂから延伸するテンプル２００３と、テンプルの先端に設けられるモダン２００４と、フロント部２００２に設けられ、装用者の鼻に接触してプリズムレンズ眼鏡を支持するノーズパッド２００５と、を備える。
【０１１７】  図２０（ｂ）は、プリズムレンズ１１のフロント部２００２を側面視した際の断面図である。プリズムレンズ１１は、上記実施形態に示したように、入射する入射光を、同じ方向に向けて屈折させることにより、前記眼鏡を前記装用者が装用していない場合に対して前記装用者の眼に入力する視覚情報を変更することができるプリズムレンズであり、図２０（ｂ）に図示されるように、一端から他端に向けて、その厚みが増す（減じる）構成を有する。なお、図２０（ｂ）では、分かり易くするために、図面上部が最も厚みが有り、下側が最も厚みがない（薄い）部分になっている場合のプリズムレンズ１１の例を示しているが、上述したように、プリズムレンズ１１は、フロント部に対して回動可能に構成されていることから、その回動角により、厚みが最も厚くなる場所（方向）を適宜変更することができ、偏光方向を変更することができる。
【０１１８】  図２０（ｃ）は、プリズムレンズ１１のフロント部２００２の分解斜視図である。図２０（ａ）〜図２０（ｃ）に示されるように、フロント部２００２は、前側フロント部２００２ａと、後側フロント部２００２ｂと、からなる。前側フロント部２００２ａは、後側フロント部２００２ｂに対して、回動自在に構成されている。前側フロント部２００２ａは、折り返し部２０１０があり、折り返し部２０１０が後側フロント部２００２ｂに設けられた溝に嵌合することで、後側フロント部２００２ｂに対して回動可能になっている。
【０１１９】  図２０（ｃ）に示されるように、フロント部２００２は、いわゆる、ベゼル機構により、前側フロント部２００２ａが後側フロント部２００２ｂに対して回動可能になるとともに、所定の角度で固定できるように構成されている。即ち、前側フロント部２００２ａは、フロント部２００２の縁に沿って湾曲させた針金２０１１を備え、針金２０１１は、一部を山形に構成した突出部２１０２を有する。図２０（ｃ）、（ｄ）に示されるように、後側フロント部２００２ｂは、その外縁に沿って、内側に向かって突出する山を有する、湾曲型のラック２０２２を備える。突出部２１０２が、ラック２０２２の谷部と嵌合することで、前側フロント部２００２ａは、後側フロント部２００２ｂに対して、回動しないように固定することができる。その一方で、針金２０１１は、人力で前側フロント部２００２ａを回した場合には、たわむ程度の柔軟性を有するので、人力を加えた場合には、前側フロント部２００２ａを回すことができる。なお、図２０（ｃ）においては、針金２０１１が、後側フロント部２００２ｂのラック２０２２の各山と嵌合することが理解しやすいように、折り返し部２０１０は省略している。
【０１２０】  なお、図２０では、針金２０１１により回動を固定する構造を実現しているが、針金２０１１以外によって実現してもよい。例えば、前側フロント部２００２ａにもラックを設けて、前側フロント部２００２ａのラックの凸部（山）が、後側フロント部２００２ｂのラック２０２２の凹部（谷）と嵌合することで、独りでに回動するのを防止することができる。このとき、一方のラックの山を、他方よりも浅く（低く）することで、人力での回動をよりやりやすく、即ち、より少ない力で回動させることができるようになる。また、一方のラックの山の頂点の位置を偏らせることで、前側フロント部２００２ａの回動方向を、時計回り、又は、反時計回りの一方向のみに限定する構造とすることもできる。また、ラックの山の感覚を調整することで、プリズムレンズ１１が止まる位置、即ち、回動角を任意の角度に定めることができる。
【０１２１】  図２１は、プリズムレンズ１１をフレームのフロント部２１０２に対して、フロント部に沿って回動させる例であって、プリズムレンズ１１自体は図２０と同様に円形ではあるものの、フレームを円形以外とした例を示す図である。
【０１２２】  図２１に示すように、フレームのフロント部２１０２は、略長方形とした例を示している。このような形状であっても、プリズムレンズ１１自体は円形であるとともに、フレーム自体を円形以外の形状で構成することができ、装用者にとって満足のいく形態のプリズムレンズ眼鏡２１００を使用することができる。
【０１２３】  なお、本第６実施形態に係る各態様のプリズムレンズ眼鏡は、オーバーレンズ眼鏡として使用することができる。即ち、視力矯正用の眼鏡を装着している装用者が更にそのうえからプリズムレンズ眼鏡を装用する態様をとってもよい。そのために、眼鏡のテンプル部に、テンプル部が装用者側に付勢するように、バネ構造を採用する、即ち、いわゆるバネ蝶番フレームを用いることとしてもよい。
【０１２４】  また、オーバーレンズ眼鏡として使用する場合には、プリズムレンズ眼鏡にはテンプルを設けず、例えば、図８に示すように、装用者の視力矯正用の眼鏡に取り付けられる取付部を有する構成としてもよい。また、例えば、クリップオンタイプの眼鏡として、プリズムレンズ眼鏡を構成することとしてもよい。
【０１２５】  以上に示したように、第６実施形態に係る各態様のプリズムレンズ眼鏡によれば、その装用の仕方により、少なくとも２方向に入射光を偏光させることができるので、様々な方向で装用者の視野を刺激することで、装用者の脳の様々な個所に脳刺激を加えることができる。即ち、視空間の刺激は視空間座標における、自己と空間あるいは物体との時空的、空間的関係性を環境に合わせて適切に保つことを可能にする。また、視空間マッピングのニュートラリティーは、身体バランスのニュートラリティーでもある。そのため、意図的な視空間刺激は前庭覚や体性感覚に影響を与え、脳や脊髄を介したループに対して無意識で入力刺激を加えることができる。その結果、普段使用していない領域に脳刺激を加えることで、脳神経の活性化を図ったり、普段見えない視野を見えるようにしたり、見えてはいるものの意識していないために気づいていない領域を見える（気づく）ようにすることができる。そして、装用者が、一定時間以上、プリズムレンズ眼鏡を装用していることで、装用者の普段の姿勢に変化を与えたりすることができる。より具体的には、視空間マップ(視空間座標)を介して身体座標との適合を図ったり、脳神経の活性化を図ったり、普段活用されていない感覚を使い、視野の変化で認識しやすい視覚の発生を図ったりすることができる。また、実際には見えている情報であっても、視空間マッピングに対して入力された変化で見える領域とすることも可能である。また、見える空間の変化が作る錯視効果を利用した身体動作パターンは、装用者が一定時間以上、プリズムレンズ眼鏡を装用していることで、装用者の身体パターンに対して変化を与えたりすることができる、即ち、プリズムレンズ眼鏡を装用しなくなったとしても身体パターンに変化を与えることができる。これが感覚器を利用した脳への入力と身体に出力される刺激効果である。
【符号の説明】
【０１２６】  １  プリズム眼鏡  １０  フレーム  １１  プリズムレンズ  １１Ａ  ベースレフトプリズム  １１Ｂ  ベースライトプリズム  １１Ｃ  ベースダウンプリズム  １１Ｄ  ベースアッププリズム
【図１】
2020175591.tif 000003
【図２】
2020175591.tif 000004
【図３】
2020175591.tif 000005
【図４】
2020175591.tif 000006
【図５】
2020175591.tif 000007
【図６】
2020175591.tif 000008
【図７】
2020175591.tif 000009
【図８】
2020175591.tif 000010
【図９】
2020175591.tif 000011
【図１０】
2020175591.tif 000012
【図１１】
2020175591.tif 000013
【図１２】
2020175591.tif 000014
【図１３】
2020175591.tif 000015
【図１４】
2020175591.tif 000016
【図１５】
2020175591.tif 000017
【図１６】
2020175591.tif 000018
【図１７】
2020175591.tif 000019
【図１８】
2020175591.tif 000020
【図１９】
2020175591.tif 000021
【図２０】
2020175591.tif 000022
【図２１】
2020175591.tif 000023
【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
装用者の脳や身体に対して与える影響を調整するための眼鏡であって、
フレームと、
前記フレームに左右方向に並べて配置され、それぞれに入射する入射光を、同じ方向に向けて屈折させることにより、前記眼鏡を前記装用者が装用していない場合に対して前記装用者の眼に入力する視覚情報を変更する左右一対のプリズムレンズと、を備え、
前記左右一対のプリズムレンズは、共に、その一端から他端に向けて一様に傾斜するように構成した眼鏡。
【請求項２】
前記プリズムレンズの屈折角は、０．５°〜２０°であることを特徴とする請求項１に記載の眼鏡。
【請求項３】
前記左右一対のプリズムレンズにおける屈折角は、共に同一であることを特徴とする請求項１又は２のいずれか１項に記載の眼鏡。
【請求項４】
前記左右一対のプリズムレンズは、共に下方から上方に向けて厚みが厚くなることを特徴とする請求項１〜３のいずれか１項に記載の眼鏡。
【請求項５】
前記左右一対のプリズムレンズは、共に上方から下方に向けて厚みが厚くなることを特徴とする請求項１〜４のいずれか１項に記載の眼鏡。
【請求項６】
前記左右一対のプリズムレンズは、共に、装用者が使用する際に、装用者から見て右側から左側に向けて厚みが厚くなることを特徴とする請求項１〜５のいずれか１項に記載の眼鏡。
【請求項７】
前記左右一対のプリズムレンズは、共に、装用者が使用する際に、装用者から見ての左側から右側に向けて厚みが厚くなることを特徴とする請求項１〜６のいずれか１項に記載の眼鏡。
【請求項８】
前記眼鏡は、
前記プリズムレンズを保持するフレームを備え、
前記フレームは、前記プリズムレンズを前記フレームに対して回動可能に保持する回動機構を備え、
前記回動機構は、前記プリズムレンズの一端と、前記プリズムレンズの前記一端の反対側に位置する他端とを、保持し、前記プリズムレンズを、前記一端と前記他端とを結ぶ軸を中心に、前記フレームに対して回動させる
ことを特徴とする請求項１に記載の眼鏡。
【請求項９】
前記眼鏡は、
前記プリズムレンズを保持するフレームを備え、
前記フレームは、前記プリズムレンズを前記フレームに対して回動可能に保持する回動機構を備え、
前記回動機構は、前記プリズムレンズに対して垂直であり、かつ、前記フレームのフロント部の枠が成す平面に対して垂直な軸を中心に、前記プリズムレンズを回動させる
ことを特徴とする請求項１に記載の眼鏡。
【請求項１０】
前記眼鏡は、
前記プリズムレンズを保持するフレームを備え、
前記フレームは、前記プリズムレンズを前記フレームに対して回動可能に保持する回動機構を備え、
前記回動機構は、前記プリズムレンズの周縁部全体が、前記フレームのフロント部の枠に沿うように回動させる
ことを特徴とする請求項１に記載の眼鏡。
【請求項１１】
前記回動機構は、回転ベゼルであることを特徴とする請求項９に記載の眼鏡。
【請求項１２】
フレームと、
前記フレームに左右方向に並べて配置され、それぞれに入射する入射光を、同じ方向に向けて屈折させる一対のプリズムレンズと、を備えているプリズム眼鏡におけるレンズの選定方法であって、
被験者に、歩行時における立脚中期の姿勢を維持させた状態で、眼球のみを上下左右に動作させ、眼球を動かしにくい方向である眼球の不動方向を特定する眼球の不動方向特定ステップと、
前記眼球の不動方向特定ステップにおいて特定された眼球の不動方向に向けて、眼球の動きを促進するプリズムレンズを選択するレンズ選択ステップと、を実行するプリズム眼鏡におけるレンズの選定方法。
【国際調査報告】
2020175591.tif 000024
2020175591.tif 000025
2020175591.tif 000026
2020175591.tif 000027
2020175591.tif 000028
2020175591.tif 000029
2020175591.tif 000030
2020175591.tif 000031
2020175591.tif 000032